(57)【要約】【課題】医用画像診断装置に要求されている検査の処理内容を明確にし、検査の進捗状況を確認できるようにした医用検査進行システムを提供する。【解決手段】ネットワークに接続され複数の処理項目を含む検査オーダの情報を入力可能な情報端末と、ネットワークに接続され情報端末によって入力された検査オーダ情報を取得し、検査オーダで要求された複数の処理を実行可能な医用画像診断装置とを具備し、医用画像診断装置は、検査オーダの情報に基いて検査の処理内容を表示部に表示し、表示された処理内容に従って各種の検査を実行するとともに、検査を完了した処理内容を表示部に識別可能に表示することを特徴とする。【選択図】図２
2009195398.tif 000002
【特許請求の範囲】
【請求項１】
ネットワークに接続され、複数の処理項目を含む検査オーダの情報を入力可能な情報端末と、
前記ネットワークに接続され、前記情報端末によって入力された前記検査オーダ情報を取得し、前記検査オーダで要求された複数の処理を実行可能な医用画像診断装置と、を具備し、
前記医用画像診断装置は、前記検査オーダの情報に基いて検査の処理内容を表示部に表示し、表示された処理内容に従って各種の検査を実行するとともに、検査を完了した処理内容を前記表示部に識別可能に表示することを特徴とする医用検査進行システム。
【請求項２】
前記情報端末は、操作部及び表示部を有し、前記操作部を操作して前記検査オーダの情報を入力する際に、前記表示部に検査の処理リストを表示して処理順序を設定可能にしたことを特徴とする請求項１記載の医用検査進行システム。
【請求項３】
前記医用画像診断装置は、前記情報端末によって設定された検査の処理順序を変更可能であって、変更された処理順序に従って前記検査の処理内容を表示部に表示することを特徴とする請求項２記載の医用検査進行システム。
【請求項４】
前記医用画像診断装置は、前記検査の処理順序を変更する場合に、前記情報端末に通知することを特徴とする請求項３記載の医用検査進行システム。
【請求項５】
前記情報端末は、前記操作部によって入力した前記検査オーダの情報をサーバに登録し、前記医用画像診断装置は、前記ネットワークを介して前記サーバにアクセスして自己宛ての前記検査オーダの情報を取得することを特徴とする請求項２記載の医用検査進行システム。
【請求項６】
ネットワークに接続可能な医用画像診断装置であって、
ネットワークインタフェースと、
前記ネットワークインタフェースを介して検査オーダの情報を取得し、前記検査オーダで要求された検査の処理内容を管理するオーダ管理部と、
被検体を撮影する撮影部と、
前記撮影部で撮影した画像データを処理し、前記オーダ管理部が取得した前記検査オーダの情報をもとに、要求された処理内容に従って複数の検査を実行する画像データ処理部と、
前記検査オーダの情報に基いて前記検査の処理内容を表示するとともに、検査を完了した処理内容を操作者に対して識別可能に表示する表示部と、
を具備したことを特徴とする医用画像診断装置。
【請求項７】
前記オーダ管理部は、前記検査オーダによって設定された検査の処理順序を変更可能であって、変更された処理順序に従って前記検査の処理内容を前記表示部に表示することを特徴とする請求項６記載の医用画像診断装置。
【請求項８】
前記オーダ管理部は、検査の進捗状況を操作者に知らせるため、検査を完了した処理内容と残存する処理内容とを区分して前記表示部に表示することを特徴とする請求項６記載の医用画像診断装置。
【請求項９】
前記オーダ管理部は、サーバに登録された前記検査オーダの情報を、前記ネットワークインタフェースを介して取得すること特徴とする請求項６記載の医用画像診断装置。
【請求項１０】
前記画像データ処理部は、前記オーダ管理部の制御のもとに、画像データのフィルタリングと、再構成処理によるＭＰＲ画像又は３Ｄ画像の作成と、画像データのフィルミングと、画像データの転送、のいずれかの処理を実行すること特徴とする請求項６記載の医用画像診断装置。
【発明の詳細な説明】
【技術分野】
【０００１】
本発明は、検査オーダをもとに画像解析等の検査処理を的確に実行するための医用検査進行システム、及び医用画像診断装置に関する。
【背景技術】
【０００２】
一般に、医療機関では、Ｘ線ＣＴ装置（Ｘ線コンピュータトモグラフィ装置）、ＭＲＩ装置（磁気共鳴イメージング装置）、Ｘ線撮影装置等の医用画像診断装置が使用されている。また、医療機関内の情報を管理するＨＩＳ（Hospital Information System）や放射線科内の情報を管理するＲＩＳ（Radiology Information System）、或いはＰＡＣＳ（Picture Archiving Communication System）等の画像ファイル通信保管システムが構築され、情報伝達のオンライン化が図られている。
【０００３】
ところで従来の医用画像診断装置では、ＲＩＳから検査オーダの予約があった場合、検査オーダから適切な撮影プロトコルを選択して患者の撮影を行う。さらに撮影によって得られたデータを画像化（再構成）して画像解析を行い、オーダ依頼先の診療科に送信して、診断に使用するようにしている。また、医用画像診断装置での画像解析等の検査は多様であり、どのような検査を行うかは検査オーダ毎に決まっている。
【０００４】
一方、検査オーダで要求されている検査の処理は、医用画像診断装置を操作する操作者(技師)に任されているが、本来必要な処理が操作者のミスによって実施されなかったり、処理の実行順序を誤ることもあった。このため、撮影や、画像解析の処理をし直すことがあり、検査完了までに時間を要するという問題がある。
【０００５】
特許文献１には、医用画像撮影システムについて記載されている。この例では、携帯型撮影情報装置に送信手段を備え、携帯型撮影情報装置から情報管理装置に対して撮影状況を送信し、情報管理装置で撮影状況を管理するようにしている。しかしながら、特許文献１では、撮影オーダに対して撮影が完了したかどうかのチェックを行いその状態を管理するだけに過ぎない。
【０００６】
このため操作者側では、要求された検査オーダに対する処理状況や、進捗状況を把握することが難しく、要求されたオーダを間違いなく実施するために更なる改善の余地がある。
【特許文献１】特開２００４−１４７９２１号公報
【発明の開示】
【発明が解決しようとする課題】
【０００７】
従来の、医用画像撮影システムでは、検査オーダに対する処理状況や進捗状況を操作者側で把握することが難しかったため、要求されたオーダ通りに間違いなく検査を実施することができず、検査をし直すことがあり、検査完了までに時間を要するという問題があった。
【０００８】
本発明は上記事情に鑑みて成されたもので、検査オーダの情報をもとに医用画像診断装置に要求されている検査の処理内容を明確にし、検査の進捗状況を確認できるようにした医用検査進行システム及び医用画像診断装置を提供することを目的とする。
【課題を解決するための手段】
【０００９】
請求項１記載の本発明の医用検査進行システムは、ネットワークに接続され、複数の処理項目を含む検査オーダの情報を入力可能な情報端末と、前記ネットワークに接続され、前記情報端末によって入力された前記検査オーダ情報を取得し、前記検査オーダで要求された複数の処理を実行可能な医用画像診断装置とを具備し、前記医用画像診断装置は、前記検査オーダの情報に基いて検査の処理内容を表示部に表示し、表示された処理内容に従って各種の検査を実行するとともに、検査を完了した処理内容を前記表示部に識別可能に表示することを特徴とする。
【００１０】
また、請求項６記載の本発明は、ネットワークに接続可能な医用画像診断装置であって、ネットワークインタフェースと、前記ネットワークインタフェースを介して検査オーダの情報を取得し、前記検査オーダで要求された検査の処理内容を管理するオーダ管理部と、被検体を撮影する撮影部と、前記撮影部で撮影した画像データを処理し、前記オーダ管理部が取得した前記検査オーダの情報をもとに、要求された処理内容に従って複数の検査を実行する画像データ処理部と、前記検査オーダの情報に基いて前記検査の処理内容を表示するとともに、検査を完了した処理内容を操作者に対して識別可能に表示する表示部と、を具備したことを特徴とする。
【発明の効果】
【００１１】
本発明によれば、医用画像診断装置の操作者は、検査オーダの情報をもとに要求されている検査の処理内容を正確に知ることができ、また検査の処理状況を確認して進捗状況を知ることができるため、処理漏れ等の検査ミスを低減することができる。
【発明を実施するための最良の形態】
【００１２】
以下、この発明の一実施の形態について図面を参照して詳細に説明する。
【実施例１】
【００１３】
図１は、本発明の医用検査進行システムを示すシステム構成図である。
【００１４】
図１において、１００は病院等の医療機関に構成されたＨＩＳ（Hospital Information System）であり、ネットワーク１１０には、医療機関の各部門の端末装置１０１，１０２…が接続されている。部門としては、受付部門、診療部門、薬剤部門、会計部門等があり、図１では、受付部門１０１、診療部門１０２がネットワーク１１０に接続されている場合を示している。また、ネットワーク１１０には、検査部門１１１，１１２…が接続されている。
【００１５】
また２００は、ＲＩＳ（Radiology Information System）であり、ネットワーク２１０に接続された医用画像診断装置、例えばＸ線ＣＴ装置２０１，ＭＲＩ装置２０２，Ｘ線撮影装置２０３等を管理する。これら、Ｘ線ＣＴ装置２０１，ＭＲＩ装置２０２，Ｘ線撮影装置２０３等は、それぞれ検査室内に配置されている。
【００１６】
またネットワーク２１０には、ＰＡＣＳ（Picture Archiving Communication System）２１１が接続されており、ＰＡＣＳ２１１には画像データベース２１２が接続されている。ＲＩＳ２００及びＰＡＣＳ２１１は、ＨＩＳ１００のネットワーク１１０にも接続されている。
【００１７】
ＲＩＳ２００の詳細は後述するが、ＲＩＳ２００は、情報端末としてのＲＩＳ端末を有し、ＲＩＳ端末は患者の撮影が必要な場合に、患者の状態に応じて放射線撮影の検査パターン（撮影種別、検査部位など）を入力し、医用画像の検査オーダの予約を行う。
【００１８】
図２は、本発明の医用画像診断装置の１つであるＸ線ＣＴ装置２０１の一実施形態を示す構成図である。
【００１９】
図２において、Ｘ線ＣＴ装置２０１は、架台１０と、操作コンソール２２とを含み、架台(ガントリ)１０内には回転部１１が設けられ、図示しない回転機構によって回転する。回転部１１内には、Ｘ線管１２とＸ線検出器１３が対向して配置されており、回転部１１の中心部分は開口して、そこに寝台の天板１４に載置された被検体Ｐが挿入される。
【００２０】
被検体Ｐを透過したＸ線はＸ線検出器１３で電気信号に変換され、データ収集部１５で増幅され、デジタルデータに変換される。このデジタルデータは、データ伝送装置１６を介して投影データとして操作コンソール２２に伝送される。また、架台１０には架台制御部１７が設けられている。Ｘ線管１２、Ｘ線検出器１３、データ収集部１５等は、撮影部を構成する。
【００２１】
架台制御部１７は、架台駆動部１８、高圧発生部１９を制御する。架台駆動部１８は、回転部１１の回転を制御するものである。高圧発生部１９は、スリップリング２０を介してＸ線管１２に電力を供給し、Ｘ線の曝射に必要な電力（管電圧、管電流）を与える。Ｘ線管１２は、被検体Ｐの体軸方向に平行なスライス方向と、それに直交するチャンネル方向の２方向に広がるビームＸ線を発生する。
【００２２】
また架台制御部１７は、寝台制御部２１を制御する。寝台制御部２１は、寝台の高さを制御したり、架台１０の開口部に対して寝台の天板１４を進退させる。また架台制御部１７は、データ収集部１５を制御する。
【００２３】
一方、操作コンソール２２は、コンピュータシステムを構成する。操作コンソール２２は前処理部２３を有し、データ伝送装置１７からのデータが前処理部２３に送られる。前処理部２３では、信号強度の補正や信号欠落の補正等の処理を行い、投影データをバスライン２２０上に出力する。
【００２４】
バスライン２２０にはシステム制御部２４が接続され、システム制御部２４には、入力部２５が接続されている。またバスライン２２０には、データ記憶部２６、再構成処理部２７、画像処理部２８、表示部２９が接続されている。
【００２５】
システム制御部２４は、ホストコントローラとして機能し、操作コンソール２２の各部の動作や、架台制御部１７を制御する。入力部２５はキーボード、マウス等を有し、ユーザによって操作され、データ処理する上で各種の設定を行う。また、患者の状態や検査方法等の各種情報を入力する。
【００２６】
データ記憶部２６は、断層画像等のデータを記憶するものであり、再構成処理部２７はボリュームデータから関心領域或いは関心臓器を抽出し、画像データを再構成する。Ｘ線ＣＴ装置２０１では、スキャン範囲を設定してボリュームスキャン（３Ｄスキャン）を行い、再構成処理部２７で再構成することでその範囲内の３Ｄ（３次元）画像を得ることができる。
【００２７】
再構成処理により、ＭＰＲ画像（Multi Planer Reconstruction）が得られ、また３Ｄ画像データが作成される。３Ｄ画像データの作成方法としては、例えば、任意の方向に投影処理を行い投影経路中の最大値を表示する最大値投影法（ＭＩＰ：Maximum Intensity Projection）、又は最小値を投影する最小値投影法(Minimum Intensity Projection)、加算平均投影法(X-ray Projection)がある。
【００２８】
画像処理部２８はデータ記憶部２６に保存されたデータ、または再構成したあとの画像データを処理する。画像処理部２８はデータ記憶部２６に保存されたデータ、または再構成したあとの画像データを処理する。また、表示部２９は画像データ処理によって得られた画像等を表示する。
【００２９】
またバスライン２２０には、オーダ管理部３０が接続されている。オーダ管理部３０は、ＲＩＳ端末（後述）からの検査オーダの情報を取得し、検査オーダで要求された検査の処理内容を管理する。これによりオーダ管理部３０は、Ｘ線ＣＴ装置２０１の操作者に対して処理内容を表示部２９に表示する。また、Ｘ線ＣＴ装置２０１での各種の処理の進捗状況を表示する。オーダ管理部３０の詳細については後述する。
【００３０】
またバスライン２２０には、ネットワークインタフェース３１が接続され、Ｘ線ＣＴ装置２０１はネットワーク２１０に接続可能になっている。ネットワーク２１０には、前述したＲＩＳ２００や、ＭＲＩ装置２０２、Ｘ線撮影装置２０３、ＰＡＣＳ２１１等が接続されている。
【００３１】
さらにバスライン２２０には、フィルム画像形成部３２が接続されている。フィルム画像形成部３２は、データ記憶部２６から必要な画像データ及び付帯情報を取得し、選択した画像データを処理してフィルムに出力（フィルミング）する。またフィルムには画像だけでなく、患者情報、医師のコメント等の付帯情報を付して出力する。尚、画像データ等をフィルムに印刷するための印刷装置については図示を省略している。
【００３２】
データ記憶部２６、再構成処理部２７、画像処理部２８、フィルム画像形成部３２は、検査オーダに基づいて各種の検査を実行する画像データ処理部を構成する。各種の検査項目については後述する。
【００３３】
次に図３を参照してＲＩＳ２００の構成について説明する。
【００３４】
図１で説明したように、病院情報システム（ＨＩＳ）１００には、病院内の放射線部門が有するネットワークシステムとして、放射線情報システムであるＲＩＳ（Radiology Information System）２００が接続されている。ＲＩＳ２００は、検査依頼情報（検査オーダ）の発行元として機能する。
【００３５】
図３で示すように、ＲＩＳ２００は、情報端末であるＲＩＳ端末４０と、ＲＩＳサーバ５０を備えている。ＲＩＳ端末４０とＲＩＳサーバ５０は、ネットワーク２１０に接続されており、ネットワーク２１０には、前述したＨＩＳ１００や、Ｘ線ＣＴ装置２０１、ＭＲＩ装置２０２、Ｘ線撮影装置２０３、ＰＡＣＳ２１１等が接続されている。
【００３６】
ＲＩＳ端末４０は、ＰＣ（Personal Computer）としての機能を有し、ネットワーク２１０に接続されたネットワークインタフェース部４１と、制御部４２、入力部４３、表示部４４を有する。
【００３７】
ネットワークインタフェース部４１は、ネットワーク２１０を介してＨＩＳ１００や、Ｘ線ＣＴ装置２０１、ＭＲＩ装置２０２、Ｘ線撮影装置２０３、ＰＡＣＳ２１１等との間で各種の情報のやりとりを行う。
【００３８】
制御部４２は、図示しないが、ＣＰＵ（Central Processing Unit）、ＲＯＭ（Read Only Memory）、ＲＡＭ（Random Access Memory）及びハードディスクを備えており、制御部４２は、ＣＰＵの制御及びＲＯＭに格納されたプログラムに従って、ＲＩＳ端末４０の全体の動作を制御する。またハードディスクには、システムを利用するためのログインプログラムやブラウザプログラムが格納されている。
【００３９】
入力部４３は、各種の情報を入力するためのキーボードやマウス等の操作デバイスを含み、ＲＩＳ端末４０の操作者によって操作される。また表示部４４は、各種の医療情報等を表示するものである。
【００４０】
ＲＩＳ端末４０は、ネットワーク２１０を介してＸ線ＣＴ装置２０１、ＭＲＩ装置２０２、Ｘ線撮影装置２０３等のモダリティに対して検査オーダの情報を送信可能であり、必要に応じて各モダリティでの検査の進捗状況を確認することができる。
【００４１】
一方、ＲＩＳサーバ５０は、ネットワーク２１０に接続されたネットワークインタフェース部５１と、制御部５２及びデータベース５３を備えている。
【００４２】
ネットワークインタフェース部５１は、ネットワーク２１０を介してＲＩＳ端末４０等との間で各種の情報のやりとりを行う。また制御部５２は、ＣＰＵ等のプロセッサを含み、制御部５２は、プロセッサのプログラムに従ってＲＩＳサーバ５０の動作を制御する。
【００４３】
データベース５３には、ＲＩＳ端末４０から入力された各モダリティに対する検査オーダの情報や、各モダリティでの処理の実施状況の情報等が記憶される。また、データベース５３には、ＲＩＳ端末４０以外に、ＨＩＳ１００又は他の検査オーダシステムからの検査オーダも記憶される。
【００４４】
次に本発明の医用検査進行システムの動作について説明する。本発明では、検査オーダの依頼元における検査オーダの入力の仕方と、モダリティ側における各種検査の処理とその進捗状況の確認の仕方に特徴がある。
【００４５】
検査の手順として、先ずオーダの依頼元で検査オーダを入力する。以下の説明では、ＲＩＳ端末４０の入力部４３を操作して複数の処理項目を含む検査オーダを入力し、Ｘ線ＣＴ装置２０１で検査オーダを取得し、取得した検査オーダに基づいて複数の処理を実行する場合を例に説明する。尚、検査の処理項目としては、撮影（スキャン）、フィルタリング、画像解析(ＭＰＲ、３Ｄ化)、フィルミング、画像データの転送、といった各種の処理内容が含まれる。
【００４６】
図４は、ＲＩＳ端末４０からＸ線ＣＴ装置２０１に対して検査オーダを送信する際に、表示部４４に表示されるオーダ要求処理の設定画面を示している。
【００４７】
図４において、画面４４１にはＸ線ＣＴ装置２０１に対してどのような検査を実施して欲しいかを示す処理リストが表示される。この処理リストは、検査オーダに相当する。ここでは、検査オーダとして、「スキャン」、「フィルタリング」、「画像解析」、「フィルミング」、「画像転送」の５つの処理を要求する場合を示している。
【００４８】
検査オーダの要求を行う場合、モダリティの選択（ここではＸ線ＣＴ装置２０１の選択）を行うと、例えばＸ線ＣＴ装置２０１での処理一覧（図示せず）が表示される。その一覧の中から操作者がマウス等で任意の項目を選択し、処理挿入ボタン４４３を押すと、選択した項目が処理リストの画面４４１に追加表示される。
【００４９】
また処理の順序を変更する場合は、変更したい項目をマウス操作（カーソル４４２）で選択し、アップ／ダウンボタン４４４，４４５を操作することで、上位又は下位の順位に変更することができる。こうして、処理内容が決定したあと、ＯＫボタン４４６押すと、検査オーダがＲＩＳサーバ５０のデータベース５３に登録される。登録処理は、制御部４２の制御のもとに、ネットワークインタフェース４１を介して行われる。訂正したい場合は、Ｑｕｉｔボタン４４７を押す。こうしてＲＩＳサーバ５０のデータベース５３に検査オーダの情報が記憶される。
【００５０】
一方、Ｘ線ＣＴ装置２０１は、ネットワークインタフェース３１を介して常にＲＩＳ２００にアクセスしており、ＲＩＳサーバ５０のデータベース５３に自己宛ての検査オーダが登録された場合に、検査オーダの情報をオーダ管理部３０で取得する。オーダ管理部３０は、取得した検査オーダの情報をもとに検査の予約処理を行う。
【００５１】
図５は、Ｘ線ＣＴ装置２０１で患者登録を行った際に表示部２９に表示される、検査の予約表２９１の一例を示している。図５の予約表は、例えば患者登録を行い、予約ボタンを押すことで表示される。
【００５２】
図５の予約表２９１は、例えば検査済み、受付番号、患者名、患者ＩＤ、性別、検査開始予定日、検査開始予定時刻の欄で構成され、検査済みの欄に印（例えば×印）が表示されている項目は既に検査を完了していることを表わし、検査済みの欄が無印の項目は、未だ検査をしていない項目を表している。
【００５３】
入力部２５のマウス操作等により、未だ検査をしていない項目のいずれかをカーソル２９２で選択し、要求処理内容ボタン２９３を押すと、図６で示すように、ＲＩＳ端末４０から検査要求のあった処理内容が表示される。
【００５４】
図６は、検査オーダの情報に基づいて作成された要求処理内容の画面２９４を例示しており、「スキャン」、「フィルタリング」、「画像解析」、「フィルミング」、「画像転送」の５つの処理内容（検査項目）が、処理順序に従って表示されている。したがって、Ｘ線ＣＴ装置２０１の操作者（検査技師）は、この画面２９４を見ることにより、ＲＩＳ端末４０から要求されている検査の処理内容を確認することができる。
【００５５】
尚、処理内容のうち、「スキャン」とは、患者を撮影して画像データを取得することを意味し、「フィルタリング」とは、取得した画像データから特定部位の画像データを取得することを意味する。また「画像解析」とは、再構成処理によりＭＰＲ画像や３Ｄ画像等の解析用のデータを得ることを意味し、「フィルミング」とは、取得した画像データをフィルムに印刷することを意味し、「画像転送」とは、画像データをＰＡＣＳ２１１等に送信することを意味する。
【００５６】
ＰＡＣＳ２１１に画像データが転送された場合、関連する診療科はＰＡＣＳ２１１にアクセスして、該当する患者の画像データを入手することができる。またＸ線ＣＴ装置２０１から直接関連する診療科に送信するようにしてもよい。
【００５７】
また、Ｘ線ＣＴ装置２０１側では、要求処理内容の順序を変更することもできる。例えば、図６の順序の編集ボタン２９５を押すと、図７に示すようなオーダ要求処理設定画面２９７が表示される。尚、順序変更を中止したい場合は、Ｑｕｉｔボタン２９６を押せばよい。
【００５８】
処理の順序を変更する場合は、図７に示す処理リストのうち、変更したい項目をマウス操作（カーソル２９８）で選択し、アップ／ダウンボタン２９９，３００を操作することで、選択した項目を上位又は下位の順位に変更することができる。こうして、ＯＫボタン３０１押すと順序変更の処理がなされる。処理順序の変更は、例えば、救急患者が入った場合等に発生する。また、途中で順序変更を中止したい場合は、Ｑｕｉｔボタン３０２を押せばよい。
【００５９】
尚、処理順序を変更した場合は、その変更情報をＲＩＳ端末４０に送信するとよい。例えば図７の画面で変更処理が行われ、ＯＫボタン３０１が押された時に、オーダ管理部３０からＲＩＳ端末４０側に変更情報を送信する。これにより、ＲＩＳ端末４０側では、処理順序の変更があったことを確認することができる。
【００６０】
一方、Ｘ線ＣＴ装置２０１では、オーダ管理部３０の制御のもとに、要求された処理順序又は変更後の処理順序に従って各種の検査を実行する。そして、それぞれの検査が終了した段階で完了ボタンを操作することで、オーダ管理部３０は検査が完了した項目を識別可能に表示部２９に表示する。
【００６１】
図８は、要求された検査オーダに対して、検査を完了した処理内容と、残存する処理内容を識別表示した例を示している。図８の要求処理内容の画面２９４において、チェックマーク３０３が付された処理内容は、検査を完了した項目を示し、図８の例では、「スキャン」、「フィルタリング」、「画像解析」、「フィルミング」が完了し、「画像転送」の処理が残っていることを示している。
【００６２】
したがって、Ｘ線ＣＴ装置２０１の操作者は、要求された検査オーダに対して、どこまで処理が進行しているか、進捗状況を確認することができ、処理の漏れを防止することができる。尚、処理の完了を示す表示方法としては、チェックマーク３０３を表示する以外に、処理を完了した項目と残存する項目を異なる色で区分して表示する等、他の識別表示方法を採ることもできる。
【００６３】
また、図８の画面２９４に表示される処理内容は、ＲＩＳ端末４０から要求のあった処理順序で表示しても良いが、図７で処理順序を変更した場合は、その変更した順序で表示するとよい。
【００６４】
図９は、以上の動作を示すフローチャートである。図９において、ステップＳ１は検査開始のステップである。ステップＳ２では、ＲＩＳ端末４０によって検査オーダを発行する際に要求処理を指定し送信する（図４参照）。ステップＳ３において、各モダリティはＲＩＳサーバ５０にアクセスし、検査オーダがある場合にその情報を取得する。
【００６５】
検査オーダを取得したモダリティは、ステップＳ４において検査を実行する前に、要求されている処理内容を確認する（図６参照）。ステップＳ５では、必要に応じて処理順序を変更する（図７参照）。ステップＳ６では、要求された処理内容を確認しながら各種の検査を実行する（図８参照）。そして、ステップＳ７では処理対象（患者）に対する検査オーダの処理を完了し、ステップＳ８では要求された処理が間違いなく実行されたかを確認してステップＳ９ですべての処理を終了する。
【００６６】
以上、述べたように本発明の実施形態に係る医用検査進行システム及び医用画像診断装置によれば、医用画像診断装置の操作者は、検査オーダの情報から要求されている検査内容を正確に知ることができ、また処理状況に応じて進捗状況を確認することができるため、処理漏れ等の検査ミスを低減して検査のし直しといった後戻り処理を減少することができる。したがって、処理時間の増大を防ぐことができる。
【００６７】
尚、以上の説明では、医用画像診断装置として、Ｘ線ＣＴ装置２０１を例に説明したが、ＭＲＩ装置や、Ｘ線撮影装置等の他の医用画像診断装置であっても良い。
【００６８】
また本発明の実施形態は以上の説明に限定されることなく、特許請求の範囲を逸脱しない範囲で種々の変形が可能である。
【図面の簡単な説明】
【００６９】
【図１】本発明の一実施形態に係る医用検査進行システムの概略を示すネットワーク構成図。
【図２】本発明の一実施形態に係る医用画像診断装置であるＸ線ＣＴ装置の一例を示すブロック図。
【図３】本発明の医用検査進行システムに係るＲＩＳの一実施形態を示すブロック図。
【図４】本発明に係るＲＩＳにおける検査オーダ発行時の表示例を示す説明図。
【図５】本発明に係る医用画像診断装置における検査予約表の表示例を示す説明図。
【図６】本発明に係る医用画像診断装置における処理リストの表示例を示す説明図。
【図７】本発明に係る医用画像診断装置における処理順序の変更を行う際の表示例を示す説明図。
【図８】本発明に係る医用画像診断装置における処理の進捗の表示例を示す説明図。
【図９】本発明の一実施形態に係る医用検査進行システムの全体の動作を説明するフローチャート。
【符号の説明】
【００７０】
１００…ＨＩＳ
２００…ＲＩＳ
２０１…Ｘ線ＣＴ装置
２０２…ＭＲＩ装置
２０３…Ｘ線撮影装置
２１０…ネットワーク
２１１…ＰＡＣＳ
２１２…画像データベース
１０…架台
１５…データ収集部
１６…データ伝送装置
１７…架台制御部
２２…操作コンソール
２４…システムコントローラ
２５…入力部
２６…データ記憶部
２７…再構成処理部
２８…画像処理部
２９…表示部
３０…オーダ管理部
３１，４１，５１…ネットワークインタフェース
４０…ＲＩＳ端末（情報端末）
４２…制御部
４３…入力部
４４…表示部
５０…ＲＩＳサーバ
５２…制御部
５３…データベース
【図１】
2009195398.tif 000003
【図２】
2009195398.tif 000004
【図３】
2009195398.tif 000005
【図４】
2009195398.tif 000006
【図６】
2009195398.tif 000007
【図７】
2009195398.tif 000008
【図８】
2009195398.tif 000009
【図９】
2009195398.tif 000010
【図５】
2009195398.tif 000011